(57)【要約】      （修正有）【課題】二方向から射出形成するダブル凸レンズを成形し、発光強度及び光度が良い光学レンズ装置を提供する。  【解決手段】主にレンズ本体１で構成する精密光学レンズ装置である。該レンズ本体は中央が厚く、縁が薄いレンズである。該レンズ本体に一つのフレーム１０を設け、該フレームの一面に一つの厚みのある凸面１１を設け、別面に一つの薄い凸面１２を設ける。主に該厚みのある凸面の厚みが、該薄い凸面の厚みより厚いことを利用することで、発光ダイオードが該レンズ本体を通じて発する光線が、均等かつ強度のあるものになる。【選択図】図１
0003174623.tif 000002
【実用新案登録請求の範囲】
【請求項１】
レンズ本体を含み、
該レンズ本体１に一つのフレームを設け、該フレームの両サイド反対方向にそれぞれ厚みのある凸面及び薄い凸面を設け、該厚みのある凸面の厚みを該薄い凸面の厚みより厚く、且つ該薄い凸面の厚みを該厚みのある凸面の１／２の厚みより薄くし、
該厚みのある凸面及び該薄い凸面の厚み比例により、該レンズ本体が良好な散光及び集光の光学性能を具有することを特徴とする精密光学レンズ装置。
【請求項２】
前記該薄い凸面の厚みと、厚みのある凸面の厚みのベストバランスは、１：１０以上であることを特徴とする請求項１記載の精密光学レンズ装置。
【請求項３】
該厚みのある凸面のラジアンは該薄い凸面のラジアンより大きいことを特徴とする請求項１記載の精密光学レンズ装置。
【請求項４】
本考案に更に発光ダイオードを設置し、該発光ダイオードを薄い凸面側に設置し、且つ該発光ダイオードは該薄い凸面の中心位置に対応することを特徴とする請求項１記載の精密光学レンズ装置。
【考案の詳細な説明】
【技術分野】
【０００１】
本考案は精密光学レンズ装置の構造に関し、特に光学レンズ技術領域に応用し、照明設備に応用することで、発光ダイオードが光を均衡に投射し、且つ発光強度がよく、光度が良い光線効果をもたらす精密光学レンズの構造に関する。
【背景技術】
【０００２】
照明設備は生活に不可欠な必需品であり、室内の光線が暗いとき、或いは夜間に照明設備で十分な光線を灯すことで、人々が光線不足の際にも活動及び閲読をすることができる。照明設備の進化の歴史は、古代のろうそくからエジソンが発明した白熱電球、更に今の発光ダイオードに発展してきた。発光ダイオードは現代の主流であり、従来の白熱電球は高温になりやすく、発光効率が悪く、寿命が短いデメリットを改良し、発光ダイオードは光度が高く、電気消耗量が少なく及び体積が小さいメリットを持つ。テクノロジーの発展及びエコ意識が高まるなか、世界的に省エネの話題が次第に広まり、発光ダイオードは現代の環境保護照明設備の代名詞となっている。街灯や広告看板、交通標識、自動車のライト及び室内照明などに使われている。
【０００３】
発光ダイオードは光を集める或いは散らすなど異なる光のタイプを現すために、様々なレンズと合わせて使用している。業界では光学の射出技術で成形する光学レンズはあるが、現在の光学射出技術はまだ成熟していない。光学レンズを製造する過程において、透明樹脂はレンズを作る原料の一つであり、光学シングル凸レンズを作る過程において、シングル凸レンズの厚みは技術的に制限されてしまう。収縮によって厚みが変わり、ニーズに合わせた厚みを作ることができない。また、射出成形する過程にて、透明樹脂は射出の圧力が大きすぎるために、光学レンズの透明樹脂の飽和度が足りなくなり、均一性が悪く、収縮及び変形などの状況が生じることで、表面の光沢が不均等及び配光効果が悪いなどの問題が生じる。また、シングル凸レンズの厚みが足りず、発光の角度及び強度などのクォリティに影響を与えることなども鑑みて、更なる改善が必要であった。
【先行技術文献】
【特許文献】
【０００４】
【特許文献１】特開２００６−２８５２１４号公報
【考案の概要】
【考案が解決しようとする課題】
【０００５】
前記公知構造の欠点を解決するため、本考案は「精密光学レンズ装置」を設置する。発光ダイオードを応用する光学レンズの従来射出技術に制限され、シングル凸レンズを必要な厚みに作ることができず、そのために発光角度及び強度に影響を及ぼしていたことを改良し、二方向から射出成形するダブル凸レンズを成形し、発光強度及び光度が良い光学レンズ装置を提供することを主な課題とする。
【課題を解決するための手段】
【０００６】
上述の目的を解決するために、本考案は精密光学レンズ装置の構造を提供するものである。該レンズ本体に一つのフレームを設け、該フレームの両サイド反対方向にそれぞれ厚みのある凸面及び薄い凸面を設ける。該レンズ本体とは中央が厚く、縁が薄いレンズであり、該厚みのある凸面の厚みは、該薄い凸面の厚みより厚く、且つ該薄い凸面の厚みは、該厚みのある凸面の１／２の厚みより薄い。
【０００７】
本考案の薄い凸面の厚みと、厚みのある凸面の厚みのベストバランスは、１：１０以上であり、それによって均等且つ十分な光度を提供できる光線が得られる。
【０００８】
本考案の厚みのある凸面のラジアンは、該薄い凸面のラジアンより大きい。
【０００９】
本考案は更に発光ダイオードを設ける。該発光ダイオードを薄い凸面側に設置し、且つ該発光ダイオードは該薄い凸面の中心位置に対応することで、発光ダイオードを該薄い凸面に近づける或いは離すことで、散光或いは集光の効果に達する。
【考案の効果】
【００１０】
本考案は主に中央が厚く、縁が薄いレンズ本体を使用し、該レンズ本体に一つのフレームを設け、該フレームの一面に一つの厚みのある凸面を設け、別面に一つの薄い凸面を設ける。主に該厚みのある凸面の厚みが、該薄い凸面の厚みより厚いことを利用し、発光ダイオードが該レンズ本体を通じて発する光線が、均等且つ強度のあるものにする。
【図面の簡単な説明】
【００１１】
【図１】本考案における立体略図である。
【図２】本考案の平面略図である。
【図３】本考案を発光ダイオードと組み合わせて集光状態を呈する略図である。
【図４】本考案を発光ダイオードと組み合わせて散光状態を呈する略図である。
【考案を実施するための形態】
【００１２】
本考案は「精密光学レンズ装置」に係り、図１から図３に示すように、それにはレンズ本体１を含む。該レンズ本体１に一つのフレーム１０を設け、該フレーム１０は厚みのあるシートを具有する。該フレーム１０の片面に厚みのある凸面１１を設け、別面には薄い凸面１２を設ける。該厚みのある凸面１１及び該薄い凸面１２は反対方向に放物面を凸設し、該厚みのある凸面１１の厚みは、該薄い凸面１２の厚みより厚く、且つ該薄い凸面１２の厚みは、該厚みのある凸面１１の１／２の厚みより薄い。該薄い凸面１２の厚みと、厚みのある凸面１１の厚みのベストバランスは、１：１０以上である。
【００１３】
このように、厚みのある凸面１１と薄い凸面１２の厚み比例を通じることで、レンズ本体１に良好な散光及び集光の光学性能を具有する。更に発光ダイオード２(本実施例では、該発光ダイオード２を厚みのある凸面１１の反対側に設置し、且つ該発光ダイオード２は薄い凸面１２の中心位置に対応する)と組み合わせることで、該発光ダイオード２が均等且つ発光の強度が強く、及び光度の良い光線３を発することができる。
【実施例】
【００１４】
図２に示すように、該レンズ本体１の幅Ｌは２７．２０ｍｍ、該フレーム１０の厚みｄ０は１.５４ｍｍである。該厚みのある凸面１１の表面中心点から、該薄い凸面１２の表面中心点までの光軸ｄ１の長軸は１１ｍｍである。
【００１５】
図３に示すのは、本考案の光線３が集光を呈する実施状況である。該発光ダイオード２は該薄い凸面１２の表面中心点から離れ(本実施例では、該発光ダイオード２から該薄い凸面１２の表面中心点までの集光距離Ｄ１は１７ｍｍ)、該発光ダイオード２より複数の光線３を投射し、該薄い凸面１２からフレーム１０を通って厚みのある凸面１１に到達する。数回の屈折の後、厚みのある凸面１１の表面から射出すると、この時の光線３は集光の状態となる。この状態の光線３は集光状態であり、光度のよい光線となり、特定エリアを照らす。このように、本実施状態は、懐中電灯などの集光を必要とする装置に応用することができる。
【産業上の利用可能性】
【００１６】
図４に示すのは、本考案の光線３が散光を呈する実施状況である。該発光ダイオード２は該薄い凸面１２の表面中心点に近づき(本実施例では、該発光ダイオード２から該薄い凸面１２の表面中心点までの集光距離Ｄ２は６.５ｍｍ)、該発光ダイオード２より複数の光線３を投射し、該薄い凸面１２からフレーム１０を通って厚みのある凸面１１に到達する。数回の屈折の後、厚みのある凸面１１の表面から射出すると、この時の光線３は散光の状態となる。この状態の光線３の照射範囲は比較的広く分散し、大面積の照明となる。但し、光度は集光状態のときの光線３より弱い。このように、本実施状態は、街灯やテーブルライトなどの広い面積の照射を必要とする装置に応用することができる。
【００１７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１８】
１  レンズ本体
１０  フレーム
１１  厚みのある凸面
１２  薄い凸面
２  発光ダイオード
３  光線
Ｌ  幅
ｄ０  フレームの厚み
ｄ１  光軸の長軸
Ｄ１  集光距離
Ｄ２  散光距離
【図１】
0003174623.tif 000003
【図２】
0003174623.tif 000004
【図３】
0003174623.tif 000005
【図４】
0003174623.tif 000006